(57)【要約】【課題】空間多重性能の低下を抑制することが可能な無線通信装置及び無線通信方法を提供すること。【解決手段】無線通信装置１は、複数のアンテナの各々に対応して設けられた複数の受信機２−１〜２−Ｎと、キャリブレーション用送信機３と、ＵＬキャリブレーションを実行する場合、各アンテナと受信機２−１〜２−Ｎの各々との接続を解除し、キャリブレーション用送信機３から送信したＵＬキャリブレーション信号と、受信機２−１〜２−Ｎの各々で受信したＵＬキャリブレーション信号と、に基づいて受信機２−１〜２−Ｎの各々に適用するキャリブレーションウェイトを決定する制御部４と、を備える。【選択図】図１
2019216366.tif 000002
【特許請求の範囲】
【請求項１】
複数のアンテナの各々に対応して設けられた複数の受信機と、
キャリブレーション用送信機と、
ＵＬ（Uplink）キャリブレーションを実行する場合、各アンテナと各受信機との接続を解除し、前記キャリブレーション用送信機から送信したＵＬキャリブレーション信号と、各受信機で受信したＵＬキャリブレーション信号と、に基づいて各受信機に適用するキャリブレーションウェイトを決定する制御部と、を備える無線通信装置。
【請求項２】
前記複数の受信機の各々に対応して設けられた複数の終端器と、
各受信機と各アンテナとの間、又は各受信機と各終端器との間を接続する複数のスイッチと、をさらに備え、
前記制御部は、各受信機と各終端器との間を接続するように前記複数のスイッチの各々を切り替えて、各アンテナと各受信機との接続を解除する、請求項１に記載の無線通信装置。
【請求項３】
前記制御部は、各アンテナと各受信機との接続が解除された場合、前記ＵＬキャリブレーション信号の信号レベルを、各アンテナと各受信機とが接続された状態で前記ＵＬキャリブレーション信号を送信すると仮定した場合の前記信号レベルよりも高くなるように制御する、請求項１又は２に記載の無線通信装置。
【請求項４】
複数の受信機と、
前記複数の受信機の各々で受信された複数の受信信号の品質値を取得すると共に、前記品質値の推移が第１の条件を満たすか否かを判定する判定部と、
前記複数の受信機の各々で受信された各受信信号に基づいて各受信機に適用するキャリブレーションウェイト、及び各受信機に対応するアンテナと複数のユーザ装置との間のＵＬチャネル推定値の少なくとも一方を決定する制御部と、を備え、
前記制御部は、前記品質値の推移が前記第１の条件を満たす受信機に対して、前記品質値の推移が前記第１の条件を満たす前に前記受信機で受信された受信信号に基づいて決定された前記キャリブレーションウェイト及び前記ＵＬチャネル推定値に更新する、無線通信装置。
【請求項５】
前記判定部は、所定時間区間毎に、前記品質値の移動平均値を算出し、算出された前記移動平均値に基づいて、前記品質値の推移が前記第１の条件を満たすか否かを判定する、請求項４に記載の無線通信装置。
【請求項６】
前記判定部は、前記移動平均値が連続する所定数の時間区間において第１の閾値以上増加し続ける場合、前記品質値の推移が前記第１の条件を満たすと判定し、
前記制御部は、前記品質値の推移が前記第１の条件を満たす受信機に対して、前記移動平均値が前記第１の閾値以上増加し続ける時間区間の直前の時間区間において決定された前記キャリブレーションウェイト及び前記ＵＬチャネル推定値に更新する、請求項５に記載の無線通信装置。
【請求項７】
前記判定部は、前記品質値の推移が前記第１の条件を満たす受信機に対して、当該受信機で受信された受信信号の前記品質値の推移が第２の条件を満たすか否かを判定し、
前記制御部は、前記品質値の推移が前記第２の条件を満たすまでの間、前記受信機に対して、前記キャリブレーションウェイト及び前記ＵＬチャネル推定値の決定処理を抑止する、請求項４〜６のいずれか１項に記載の無線通信装置。
【請求項８】
前記判定部は、前記品質値の推移が前記第１の条件を満たすと判定された後の移動平均値と、前記品質値の推移が前記第１の条件を満たすと判定される前の時間区間における移動平均値との差分が第１の閾値未満である場合、前記品質値の推移が前記第２の条件を満たすと判定する、請求項７に記載の無線通信装置。
【請求項９】
前記判定部は、前記品質値の推移が第３の条件を満たすか否かを判定し、
前記制御部は、前記品質値の推移が前記第３の条件を満たす受信機に対して、前記キャリブレーションウェイト及び前記ＵＬチャネル推定値の決定処理を抑止する、請求項４〜８のいずれか１項に記載の無線通信装置。
【請求項１０】
ＵＬキャリブレーションを実行する場合、複数のアンテナの各々と、各アンテナに対応して設けられた複数の受信機の各々との接続を解除することと、
キャリブレーション用送信機から送信した第１の信号と、各受信機で受信した第２の信号と、に基づいて各受信機に適用するキャリブレーションウェイトを決定することと、を含む無線通信方法。
【発明の詳細な説明】
【技術分野】
【０００１】
本開示は、無線通信装置及び無線通信方法に関する。
【背景技術】
【０００２】
多数の素子が独立した送受信機を有するアンテナから複数の無線端末に向けて一斉送信するＭＵ−ＭＩＭＯ（Multi User-Multi Input Multi Output）又はＭａｓｓｉｖｅ  ＭＩＭＯ機能が知られている。また、ＭＵ−ＭＩＭＯ機能又はＭａｓｓｉｖｅ  ＭＩＭＯ機能を具備したアクティブアンテナシステム（ＡＡＳ：Active Antenna System）が知られており、ＡＡＳを基地局に採用することが検討されている。
【０００３】
基地局がＴＤＤ（Time Division Duplex）モードで運用する場合、ＡＡＳ内において、複数のアンテナに接続された送受信機の振幅及び位相のばらつきを補償及び消去するため、送受信機キャリブレーション（ダウンリンク（ＤＬ：Downlink／アップリンク（ＵＬ：Uplink）  ＣＡＬ（Calibration））の実施が必要となる（例えば、特許文献１）。さらに、基地局が長時間運用する場合、外気温変動や経時変動により生じる各送受信機間の振幅及び位相変動の差異を補償するため、周期的に逐次キャリブレーションを行い、同差を除去する事も重要である。
【０００４】
また、基地局は、キャリブレーション実行後、全送受信機の振幅及び位相が揃った状態（補償された状態）で、各端末との間のチャネル（無線伝搬路）に関するＵＬチャネル推定（ＵＬ  Ｃｈ推定）を行う。そして、基地局は、当該チャネル推定による各端末へのＤＬビームフォーミング（DL Beam Forming）を実施することにより、ＭＵ−ＭＩＭＯ時の各端末へのアンテナパターンを形成すると共に、他端末方向へのＮｕｌｌを形成することにより空間多重を実行する。
【先行技術文献】
【特許文献】
【０００５】
【特許文献１】特表２００２−５２０８９１号公報
【発明の概要】
【発明が解決しようとする課題】
【０００６】
ここで、ＵＬキャリブレーション実行時、及びＵＬキャリブレーション実行後のＵＬチャネル推定実行時において、外来環境からの干渉波が混信すると性能が劣化する。ＵＬキャリブレーション実行時にＡＡＳの外来環境からの干渉波を受信する場合、ＵＬキャリブレーション実行後の全受信期間の振幅及び位相に誤差が発生してしまい、空間多重性能劣化につながる。また、ＵＬキャリブレーション実行後のＵＬチャネル推定時に外来環境からの干渉波を受信する場合、ＵＬチャネル推定時の誤差が発生してしまい、空間多重性能劣化につながる。
【０００７】
本開示の目的は、上述の問題を解決するためになされたものであり、空間多重性能の低下を抑制することが可能な無線通信装置及び無線通信方法を提供することである。
【課題を解決するための手段】
【０００８】
第１の態様にかかる無線通信装置は、
複数のアンテナの各々に対応して設けられた複数の受信機と、
キャリブレーション用送信機と、
ＵＬキャリブレーションを実行する場合、各アンテナと各受信機との接続を解除し、前記キャリブレーション用送信機から送信したＵＬキャリブレーション信号と、各受信機で受信したＵＬキャリブレーション信号と、に基づいて各受信機に適用するキャリブレーションウェイトを決定する制御部と、を備える。
【０００９】
第２の態様にかかる無線通信装置は、
複数の受信機と、
前記複数の受信機の各々で受信された複数の受信信号の品質値を取得すると共に、前記品質値の推移が第１の条件を満たすか否かを判定する判定部と、
前記複数の受信機の各々で受信された各受信信号に基づいて各受信機に適用するキャリブレーションウェイト、及び各受信機に対応するアンテナと複数のユーザ装置との間のＵＬチャネル推定値の少なくとも一方を決定する制御部と、を備え、
前記制御部は、前記品質値の推移が前記第１の条件を満たす受信機に対して、前記品質値の推移が前記第１の条件を満たす前に前記受信機で受信された受信信号に基づいて決定された前記キャリブレーションウェイト及び前記ＵＬチャネル推定値に更新する。
【００１０】
第３の態様にかかる無線通信方法は、
ＵＬキャリブレーションを実行する場合、複数のアンテナの各々と、各アンテナに対応して設けられた複数の受信機の各々との接続を解除することと、
キャリブレーション用送信機から送信したＵＬキャリブレーション信号と、各受信機で受信したＵＬキャリブレーション信号と、に基づいて各受信機に適用するキャリブレーションウェイトを決定することと、を含む無線通信方法である。
【発明の効果】
【００１１】
本開示によれば、空間多重性能の低下を抑制することが可能な無線通信装置及び無線通信方法を提供することができる。
【図面の簡単な説明】
【００１２】
【図１】実施の形態１にかかる無線通信装置の概略構成例を示す図である。
【図２】実施の形態２にかかる無線通信装置の概略構成例を示す図である。
【図３】ＵＬキャリブレーション実行タイミングを説明する図である。
【図４】ＤＬ及びＵＬタイミングにおける送信機のパワーレベルを説明する図である。
【図５】実施の形態３にかかる無線通信装置の構成例を示す図である。
【図６】実施の形態３にかかる無線通信装置の動作例を説明する図である。
【図７】実施の形態４にかかる無線通信装置の構成例を示す図である。
【図８】ＴＲＸ−ＢＢ部が行う判定処理について説明する図である。
【図９】実施の形態４にかかる無線通信装置の動作例を説明する図である。
【図１０】各実施の形態にかかる無線通信装置を実現可能なコンピュータ（情報処理装置）のハードウェア構成を例示するブロック図である。
【発明を実施するための形態】
【００１３】
以下、図面を参照して本開示の実施の形態について説明する。なお、以下の記載及び図
面は、説明の明確化のため、適宜、省略及び簡略化がなされている。また、以下の各図面
において、同一の要素には同一の符号が付されており、必要に応じて重複説明は省略され
ている。
【００１４】
（実施の形態１）
まず、実施の形態１として、本開示の実施の形態の概要を説明する。図１を用いて、実施の形態１にかかる無線通信装置１について説明する。図１は、実施の形態１にかかる無線通信装置の概略構成例を示す図である。
【００１５】
無線通信装置１は、複数のアンテナと、複数のアンテナの各々に対応して設けられた複数の送受信機と、を内蔵したＡＡＳであってもよい。無線通信装置１は、受信機２−１〜２−Ｎ（Ｎ：２以上の自然数）と、キャリブレーション用送信機３と、制御部４とを備える。
【００１６】
受信機２−１〜２−Ｎの各々は、図示しない複数のアンテナの各々に対応して設けられる受信機であって、対応するアンテナと接続されている。受信機２−１〜２−Ｎの各々は、無線通信装置１が受信キャリブレーションとしてＵＬキャリブレーションを実行する場合、キャリブレーション用送信機３からＵＬキャリブレーション信号を受信する。受信機２−１〜２−Ｎの各々は、受信したＵＬキャリブレーション信号（ＲＦ信号）をＵＬキャリブレーション信号（ＩＱ信号）に変換して、制御部４に出力する。なお、アップリンクＵＬとは、図示しないユーザ装置（ＵＥ：User Equipment）から無線通信装置１への通信路を意味し、ダウンリンクＤＬとは、無線通信装置１からＵＥへの通信路を意味する。
【００１７】
キャリブレーション用送信機３は、制御部４から送信されたＵＬキャリブレーション信号（ＩＱ信号）をＵＬキャリブレーション信号（ＲＦ信号）に変換し、受信機２−１〜２−Ｎに送信する。
【００１８】
制御部４は、ＵＬキャリブレーションを実行する場合、受信機２−１〜２−Ｎの各々と、各受信機に対応するアンテナとの接続を解除する。そして、制御部４は、キャリブレーション用送信機３から送信したＵＬキャリブレーション信号（ＩＱ信号）と、受信機２−１〜２−Ｎの各々で受信したＵＬキャリブレーション信号（ＩＱ信号）と、に基づいて、受信機２−１〜２−Ｎの各々に適用するキャリブレーションウェイトを決定する。キャリブレーションウェイトは、各受信機の振幅及び位相のばらつきを補償するための重みであり、ＵＬキャリブレーションにより決定される。
【００１９】
以上説明した様に、実施の形態１にかかる制御部４は、ＵＬキャリブレーションを実行する場合、受信機２−１〜２−Ｎの各々と、各受信機に対応する各アンテナとの接続を解除する。すなわち、制御部４は、受信機２−１〜２−Ｎの各々から受信するＵＬキャリブレーション信号に、例えば、ＡＡＳの外部環境に存在する他のシステム等からの無線干渉源が含まれないように制御を行う。そして、制御部４は、キャリブレーション用送信機３から送信したＵＬキャリブレーション信号と、受信機２−１〜２−Ｎの各々で受信したＵＬキャリブレーション信号とに基づいて、各受信機に適用するキャリブレーションウェイトを決定する。そのため、実施の形態１にかかる無線通信装置１によれば、ＡＡＳの外部環境に、上記無線干渉源が存在したとしても、当該無線干渉源によるＵＬキャリブレーション信号が劣化することを抑制することが可能となる。したがって、実施の形態１にかかる無線通信装置１を用いることにより、空間多重性能の低下を抑制することが可能となる。
【００２０】
（実施の形態２）
続いて、実施の形態２として、本開示の他の実施の形態の概要を説明する。図２を用いて、実施の形態２にかかる無線通信装置１０について説明する。図２は、実施の形態２にかかる無線通信装置の概略構成例を示す図である。
【００２１】
無線通信装置１０は、実施の形態１にかかる無線通信装置１と同様にＡＡＳであってもよい。無線通信装置１０は、受信機１１−１〜１１−Ｎと、判定部１２と、制御部１３と、を備える。
【００２２】
受信機１１−１〜１１−Ｎは、実施の形態１にかかる受信機２−１〜２−Ｎに対応し、構成は同様であるため、本実施の形態では説明を割愛する。
判定部１２は、受信機１１−１〜１１−Ｎの各々で受信された複数の受信信号の品質値を取得すると共に、品質値の推移が第１の条件を満たすか否かを判定する。複数の受信信号は、ＵＬキャリブレーション信号及びＵＬチャネル推定用信号の少なくとも１つを含む受信信号である。第１の条件は、各受信機で受信された受信信号が他システムからの干渉の影響を受けているか否かを判定するための条件である。
【００２３】
制御部１３は、受信機１１−１〜１１−Ｎで受信された各受信信号に基づいて受信機１１−１〜１１−Ｎの各々に適用するキャリブレーションウェイト及び受信機１１−１〜１１−Ｎの各々に対応するアンテナと複数のユーザ装置との間のＵＬチャネル推定値の少なくとも一方を決定する。キャリブレーションウェイトは、ＵＬキャリブレーション信号に基づいて、ＵＬキャリブレーション動作により決定される。また、制御部１３は、品質値の推移が第１の条件を満たす受信機に対して、品質値の推移が第１の条件を満たす前に受信機で受信された受信信号に基づいて決定されたキャリブレーションウェイト及びＵＬチャネル推定値に更新する。
【００２４】
以上説明した様に、実施の形態２にかかる判定部１２は、受信機１１〜１１−Ｎの各々で受信した複数の受信信号の品質値の推移に基づいて、受信信号が第１の条件を満たしているか否かを判定する。つまり、判定部１２は、受信信号が他システムからの干渉の影響を受けているか否かを判定する。そして、制御部１３は、受信信号の品質値の推移が第１の条件を満たす受信機に対して、受信信号の品質値の推移が第１の条件を満たす前に受信機で受信された受信信号に基づいて決定されたキャリブレーションウェイト及びＵＬチャネル推定値に更新する。つまり、制御部１３は、受信信号が他システムからの干渉の影響を受けている受信機に対して、他システムからの干渉の影響を受けていないと推定される受信信号に基づいて決定されたキャリブレーションウェイト及びＵＬチャネル推定値に更新する。したがって、実施の形態２にかかる無線通信装置１０によれば、外来環境からの干渉波が混信しないと判定される信号に基づいて実行されたＵＬキャリブレーション結果及びＵＬチャネル推定結果を採用するので、空間多重性能劣化を抑制することが可能となる。
【００２５】
（実施の形態３）
続いて、実施の形態３について説明する。実施の形態３は、実施の形態１を詳細にした実施の形態である。実施の形態３にかかる無線通信装置１００の構成例を説明する前に、無線通信装置１００が実施するＵＬキャリブレーション動作の概要について説明する。
【００２６】
＜ＵＬキャリブレーション実行タイミング＞
まず、図３を用いて、ＵＬキャリブレーション実行タイミングについて説明する。図３は、ＵＬキャリブレーション実行タイミングを説明する図である。
【００２７】
前提として、実施の形態３にかかる無線通信装置１００は、ＴＤＤモード（ＴＤＤ通信方式）に対応する無線通信装置である。ＴＤＤモードは、上下リンク（ＵＬ／ＤＬ）で同一周波数を用いて、時間的にＤＬ通信及びＵＬ通信を切り替えて送受信を行う通信方式である。ＤＬ通信にはＤＬサブフレームが伝送され、ＵＬ通信にはＵＬサブフレームが伝送される。また、ＤＬ通信からＵＬ通信に切り替わるタイミングでは、スペシャルサブフレームが伝送される。スペシャルサブフレームは、ＤｗＰＴＳ（Downlink Pilot Time Slot）、ＧＰ（Guard Period）及びＵｐＰＴＳ（Uplink Pilot Time Slot）により構成されるサブフレームである。ＤｗＰＴＳはＤＬ通信のためにリザーブされるフィールドである。ＵｐＰＴＳはＵＬ通信のためにリザーブされるフィールドである。ＧＰはＤＬ通信及びＵＬ通信が行なわれないフィールドである。
【００２８】
図３は、上から順に、時刻（Ｔ１〜Ｔ５）、無線通信装置１００のＤＬタイミング、無線通信装置１００の送信機ＴＸ（Transmitter）のＯＮ又はＯＦＦ状況、ＵＬタイミング、無線通信装置１００の受信機ＲＸ（Receiver）のＯＮ又はＯＦＦ状況を示している。さらに、図３は、無線通信装置１００と通信を行うＵＥのＤＬタイミング、ＵＥの受信機ＲＸのＯＮ又はＯＦＦ状況、ＵＬタイミング、ＵＥの送信機ＴＸのＯＮ又はＯＦＦ状況を示している。なお、図３において、無線通信装置１０をＡＡＳとして記載している。時刻は、Ｔ１からＴ５の順に時刻が進んでいることを示している。換言すると、Ｔ１から順に経過し、Ｔ５は最も遅い時刻を示している。ＵＬタイミング及びＵＬタイミングのそれぞれには、ＤＬ通信、ＤｗＰＴＳ、ＧＰ、ＵｐＰＴＳ及びＵＬ通信の時間区間が示されている。ＵＬタイミング及びＵＬタイミングのうち、斜線でハッチングされた時間区間は、ＤＬ又はＵＬに割り当てられた時間区間であることを示している。
【００２９】
図３の無線通信装置１００のＤＬタイミングに示すように、無線通信装置１００の送信機ＴＸは、時刻Ｔ１から時刻Ｔ２までのＤｗＰＴＳの時間区間においてＯＮからＯＦＦの状態に遷移する。また、送信機ＴＸは、時刻Ｔ３から時刻Ｔ５までのＧＰの時間区間のうち、時刻Ｔ４において完全にＯＦＦ状態となる。また、図３のＵＬタイミングに示すように、無線通信装置１００の受信機ＲＸは、時刻Ｔ３において、ＯＦＦからＯＮの状態に遷移する。
【００３０】
ここで、時刻Ｔ２から時刻Ｔ４の間は、ＤＬタイミング及びＵＬタイミング共に、ＤＬ通信及びＵＬ通信が行われないＧＰの時間区間であり、ＴＸ及びＲＸは共にＯＮ状態となっている。無線通信装置１００は、スペシャルサブフレームのＧＰの時間区間にＤＬキャリブレーションを実行し、その後、ＵＬキャリブレーションを実行する。
【００３１】
＜ＵＬキャリブレーション実行時の送信機パワーレベルについて＞
次に、図４を用いて、無線通信装置１００のＵＬタイミングにおける送信機ＴＸのパワーレベルについて説明する。図４は、ＤＬ及びＵＬタイミングにおける送信機のパワーレベルを説明する図である。具体的には、図４は、ＤＬ及びＵＬタイミングの各タイミングにおける送信機ＴＸのパワーレベルを示している。図４の横軸は時間を示しており、縦軸はパワーレベルを示している。図４の実線Ｌ１は無線通信装置１００の送信機ＴＸの送信パワーレベルの遷移を示している。図４のグラフには、ＤＬ及びＵＬタイミングの各タイミングを示しており、ＵＬサブフレームと記載されている時間区間は、ＵＬ通信を行っていることを示す。また、ＤＬサブフレーム及びＤｗＰＴＳと記載されている時間区間は、ＤＬ通信及びＤｗＰＴＳの時間区間であることを示している。また、ＧＰ及びＵｐＰＴＳと記載されている時間区間は、ＧＰ及びＵｐＰＴＳの時間区間であることを示している。
【００３２】
図３において説明したように、無線通信装置１００は、スペシャルサブフレームのＧＰの時間区間にＤＬキャリブレーション及びＵＬキャリブレーションを実行する。ここで、ＧＰ内において、送信機ＴＸがＯＮからＯＦＦの状態に遷移する時間区間は、３ＧＰＰ標準規格（ＴＳ３６．１０４）において１７μｓｅｃと規定されている。そのため、無線通信装置１００は、送信機ＴＸがＯＮからＯＦＦに遷移する１７μｓｅｃでＤＬキャリブレーションを実行する。
【００３３】
次に、無線通信装置１００は、送信機ＴＸがＯＦＦに完全に遷移した状態で（上記１７μｓｅｃ経過後）、ＵＬキャリブレーションを実行する。ここで、３ＧＰＰ標準規格（ＴＳ３６．１０４）において、送信機ＴＸがＯＦＦ状態では、−８５ｄＢｍ／ＭＨｚ以下にする必要がある。つまり、無線通信装置１００は、−８５ｄＢｍ／ＭＨｚ以下を保ったまま、ＵＬキャリブレーションを実行する必要がある。ＵＬキャリブレーションを実行する場合、無線通信装置１００は、ＵＬキャリブレーション用の信号であるＵＬキャリブレーション信号を、自装置内に送信して実行する。しかし、ＵＬキャリブレーション信号の信号レベルが大きい場合、アンテナ（ＡＮＴ：Antenna）からＵＬキャリブレーション信号が漏洩してしまう可能性があるため、無線通信装置１００は、ＵＬキャリブレーション信号の信号レベルを低く設定する。この場合、ＡＮＴから外来妨害波受信干渉（ＷｉＦｉ（登録商標）等、他の無線システムからの干渉妨害）を受けた場合、顕著にＵＬキャリブレーション信号の信号対干渉および雑音電力比（ＳＩＮＲ：signal-to-interference-plus-noise ratio）が劣化する。
【００３４】
上記に伴い、ＵＬキャリブレーション信号が干渉劣化したままで、ＵＬキャリブレーション補償が実施されてしまうと、適切に各受信機への振幅及び位相補償が出来ない状態となる。ＵＬキャリブレーション後の全受信機の振幅及び位相が揃わないまま、各端末からのＵＬチャネル推定等が行われてしまうと、決定される各端末へのビームフォーミングパターン及びＭＵ−ＭＩＭＯ時のＮｕｌｌ生成が劣化してしまう。そこで、本実施の形態では、ＵＬキャリブレーション信号が干渉劣化することを抑制し、空間多重性能劣化を抑制することを目的とする。
【００３５】
以下、実施の形態３の詳細について説明する。
＜無線通信装置の構成例＞
図５を用いて、実施の形態３にかかる無線通信装置１００について説明する。図５は、実施の形態３にかかる無線通信装置の構成例を示す図である。無線通信装置１００は、実施の形態１にかかる無線通信装置１に対応する。無線通信装置１００は、実施の形態１にかかる無線通信装置１と同様にＡＡＳであってもよい。
【００３６】
図５に示すように、無線通信装置１００は、ビームフォーミングベースバンド（ＢＦ−ＢＢ：Beamforming-Baseband）部１１０と、ＴＲＸフロントエンド（TRX-Frontend）部１２０とを備える。
【００３７】
ＴＲＸフロントエンド部１２０は、送受信機フロントエンド部である。ＴＲＸフロントエンド部１２０は、光トランシーバ１２１、送受信機ベースバンド（ＴＲＸ−ＢＢ）部１２２及び受信機（ＲＸ）１２３−１〜１２３−Ｎを備える。さらに、ＴＲＸフロントエンド部１２０は、増幅器（ＡＭＰ：Amplifier）１２４−１〜１２４−Ｎ、アンテナ（ＡＮＴ）１２５−１〜１２５−Ｎ、分配器１２６、キャリブレーション用送信機（ＣＡＬ−ＴＸ：Calibration-TX）１２７を備える。またさらに、ＴＲＸフロントエンド部１２０は、スイッチ（ＳＷ：Switch）１２８−１〜１２８−Ｎ及び終端器１２９−１〜１２９−Ｎを備える。
【００３８】
なお、以降の説明において、ＲＸ１２３−１〜１２３−Ｎ、ＡＭＰ１２４−１〜１２４−Ｎ及びＡＮＴ１２５−１〜１２５−Ｎのそれぞれを区別して説明を行う必要が無い場合、ＲＸ１２３、ＡＭＰ１２４、ＡＮＴ１２５と総称して説明する。また、ＳＷ１２８−１〜１２８−Ｎ及び終端器１２９−１〜１２９−Ｎのそれぞれを区別して説明を行う必要が無い場合、ＳＷ１２８及び終端器１２９と総称して説明する。なお、説明を行う上で便宜的に、図５には、無線通信装置１００が受信側の機能部のみを有する構成として記載しているが、無線通信装置１００は送信側の機能部を有する構成であってもよい。
【００３９】
ＢＦ−ＢＢ部１１０は、実施の形態１における制御部４に対応する。ＢＦ−ＢＢ部１１０は、ビームフォーミング信号を生成する機能を有するベースバンド部である。ＢＦ−ＢＢ部１１０は、無線通信装置１００が起動した場合及び周期的に、各ＲＸ１２３に適用するキャリブレーションウェイト（UL CAL Weight）を決定し、記憶する。キャリブレーションウェイトは、ＵＬキャリブレーション信号に基づいて、ＵＬキャリブレーション動作により決定される。各ＲＸ１２３に適用するキャリブレーションウェイトは、ＲＸ＃ｎ×ＣＡＬ−ＴＸにより決定される。ここで、ＲＸ＃ｎは、各ＲＸ１２３の受信系特性（振幅及び位相）であり、ＣＡＬ−ＴＸは、共通送信系特性（振幅及び位相）である。共通送信系とは、ＣＡＬ−ＴＸ１２７の特性（振幅及び位相）である。
【００４０】
ＢＦ−ＢＢ部１１０は、ＵＬキャリブレーションを実行する場合、ＵＬキャリブレーション信号ＩＱを、光トランシーバ１２１及びＴＲＸ−ＢＢ部１２２を介して、ＣＡＬ−ＴＸ１２７に送信する。また、ＢＦ−ＢＢ部１１０は、各ＲＸ１２３からＵＬキャリブレーション信号ＩＱを受信する。ＢＦ−ＢＢ部１１０は、ＣＡＬ−ＴＸ１２７から送信したＵＬキャリブレーション信号ＩＱと、各ＲＸ１２３で受信したＵＬキャリブレーション信号ＩＱとの振幅及び位相の差分を測定し、各ＲＸ１２３に適用するキャリブレーションウェイトを決定する。
【００４１】
また、ＢＦ−ＢＢ部１１０は、各ＳＷ１２８を制御する。ＵＬキャリブレーションを実行していない場合、各ＳＷ１２８の状態は、各ＲＸ１２３と、各ＡＮＴ１２５とが接続される状態となっている。ＢＦ−ＢＢ部１１０は、ＵＬキャリブレーションを実行する場合、各ＲＸ１２３と、各終端器１２９とを接続するように、各ＳＷ１２８を制御する。換言すると、ＢＦ−ＢＢ部１１０は、ＵＬキャリブレーションを実行する場合、各ＳＷ１２８を制御し、各ＡＮＴ１２５と各ＲＸ１２３との接続を解除する。ＢＦ−ＢＢ部１１０は、各ＳＷ１２８を制御することにより、各ＲＸ１２３で受信するＵＬキャリブレーション信号ＩＱが、他システムからの干渉の影響を受けることを回避する。すなわち、各ＲＸ１２３で受信するＵＬキャリブレーション信号ＩＱに干渉成分が含まれなくなるので、ＢＦ−ＢＢ部１１０は、各ＲＸ１２３に適用するキャリブレーションウェイトを正確に決定することを可能とする。また、ＵＬキャリブレーションが完了すると、ＢＦ−ＢＢ部１１０は、各ＲＸ１２３と、各ＡＮＴ１２５とが接続されるように、各ＳＷ１２８を制御する。
【００４２】
また、ＢＦ−ＢＢ部１１０は、ＡＮＴ１２５とＲＸ１２３との接続が解除された場合、ＵＬキャリブレーション信号の信号レベルを、ＡＮＴ１２５とＲＸ１２３とが接続された場合に送信する一般的なＵＬキャリブレーション信号よりも高く設定する。つまり、ＢＦ−ＢＢ部１１０は、ＵＬキャリブレーション信号の信号レベルを、ＡＮＴ１２５とＲＸ１２３とが接続された状態でＵＬキャリブレーション信号を送信すると仮定した場合のＵＬキャリブレーション信号の信号レベルよりも高く設定する。換言すると、ＢＦ−ＢＢ部１１０は、ＵＬキャリブレーション信号の信号レベルを、３ＧＰＰ標準規格において規定されている、ＴＸがＯＦＦ状態において制約される−８５ｄＢｍ／ＭＨｚを超える信号レベルよりも高く設定する。
【００４３】
上述したように、各ＡＮＴ１２５と各ＲＸ１２３とが接続された場合、各ＡＮＴ１２５からＵＬキャリブレーション信号が外部に漏洩することはなくなる。そのため、ＢＦ−ＢＢ部１１０は、ＵＬキャリブレーション信号の信号レベルを３ＧＰＰ標準規格において規定されている信号レベルよりも高く設定する。このようにすることで、ＵＬキャリブレーション信号は一般的なＵＬキャリブレーション信号よりも高いＳＩＮＲを確保することが出来るので、ＢＦ−ＢＢ部１１０は、正確に各ＲＸ１２３に適用するキャリブレーションウェイトを決定することが可能となる。
【００４４】
光トランシーバ１２１は、ＢＦ−ＢＢ部１１０とＴＲＸ−ＢＢ部１２２との間で送受信される信号の光電変換及びその逆の変換を行う。
【００４５】
ＴＲＸ−ＢＢ部１２２は、送受信機ベースバンド部であって、主信号受信デジタルベースバンド部である。ＴＲＸ−ＢＢ部１２２は、ＢＦ−ＢＢ部１１０から受信したＵＬキャリブレーション信号ＩＱ（ＩＱ信号）をＣＡＬ−ＴＸ１２７に出力する。
【００４６】
また、ＴＲＸ−ＢＢ部１２２は、各ＲＸ１２３からＵＬキャリブレーション信号ＩＱ（ＩＱ信号）を受信する。ＴＲＸ−ＢＢ部１２２は、光トランシーバ１２１を介して、ＢＦ−ＢＢ部１１０に受信したＵＬキャリブレーション信号ＩＱ（ＩＱ信号）を送信する。
【００４７】
ＲＸ１２３は、実施の形態１における受信機２−１〜２−Ｎに対応する。ＲＸ１２３は、各ＡＮＴ１２５に対応して設けられた受信機である。ＲＸ１２３は、ＣＡＬ−ＴＸ１２７からＵＬキャリブレーション信号（ＲＦ信号）を受信する。ＲＸ１２３は、受信したＵＬキャリブレーション信号（ＲＦ信号）をＵＬキャリブレーション信号ＩＱ（ＩＱ信号）に変換する。そして、ＲＸ１２３は、変換したＵＬキャリブレーション信号ＩＱをＴＲＸ−ＢＢ部１２２に出力する。
【００４８】
ＡＭＰ１２４は、各ＲＸ１２３及び各ＡＮＴ１２５に対応して設けられた受信アンプである。ＡＭＰ１２４は、分配器１２６から出力されたＵＬキャリブレーション信号を増幅し、ＲＸ１２３に出力する。
【００４９】
ＡＮＴ１２５は、各ＲＸ１２３に対応して設けられたアンテナである。ＡＮＴ１２５は、無線通信装置１００と通信を行うＵＥからの信号を受信する。ＡＮＴ１２５は、他システムからの干渉波が存在する場合、当該干渉波を受信する。
【００５０】
分配器１２６は、ＣＡＬ−ＴＸ１２７から出力されたＵＬキャリブレーション信号を分配し、分配したＵＬキャリブレーション信号を各ＲＸ１２３に出力する。なお、無線通信装置１００において、分配器１２６は、ＣＡＬ  Ｎｅｔｗｏｒｋと称されてもよい。
【００５１】
ＣＡＬ−ＴＸ１２７は、実施の形態１におけるキャリブレーション用送信機３に対応する。ＣＡＬ−ＴＸ１２７は、キャリブレーション用送受信機のうち、送信機能を有する送信機である。ＣＡＬ−ＴＸ１２７は、ＴＲＸ−ＢＢ部１２２から出力されたＵＬキャリブレーション信号ＩＱ（ＩＱ信号）を受信し、ＵＬキャリブレーション信号（ＲＦ信号）に変換する。ＣＡＬ−ＴＸ１２７は、変換したＵＬキャリブレーション信号（ＲＦ信号）を分配器１２６に出力する。
【００５２】
ＳＷ１２８は、信号方向を切り替える切替器（スイッチ）である。ＳＷ１２８は、各ＡＮＴ１２５及び各ＲＸ１２３に対応して設けられたスイッチである。ＳＷ１２８は、各ＲＸ１２３と各ＡＮＴ１２５との間、又は各ＲＸ１２３と各ＡＮＴ１２５との間を接続する。ＳＷ１２８は、各ＲＸ１２３と各ＡＮＴ１２５との間を接続する場合、各ＡＮＴ１２５から入力された信号を各ＲＸ１２３に出力する。一方、ＳＷ１２８は、各ＲＸ１２３と各終端器１２９との間を接続する場合、各ＲＸ１２３には信号は出力されない。
終端器１２９は、各ＡＮＴ１２５及び各ＲＸ１２３に対応して設けられた終端器である。
【００５３】
＜無線通信装置の動作例＞
次に、図６を用いて、実施の形態３にかかる無線通信装置１００の動作例を説明する。図６は、実施の形態３にかかる無線通信装置の動作例を説明する図である。具体的には、実施の形態３にかかる無線通信装置１００が実施するＵＬキャリブレーション動作の動作例を示す図である。
【００５４】
無線通信装置１００は、ＤＬ通信を行うＤＬサブフレームと、ＵＬ通信を行うＵＬサブフレームとの間のスペシャルサブフレームのＧＰ内において、ＤＬキャリブレーションを実行し、その後、ＵＬキャリブレーションを実行する。
【００５５】
まず、ＢＦ−ＢＢ部１１０は、ＵＬキャリブレーションを実行する場合、各ＲＸ１２３と各終端器１２９とを接続するように、各ＳＷ１２８を切り替える。つまり、ＢＦ−ＢＢ部１１０は、ＵＬキャリブレーション実行時、各ＳＷ１２８を切り替えて、各ＲＸ１２３と各ＡＮＴ１２５との接続を解除する。
【００５６】
次に、ＢＦ−ＢＢ部１１０は、ＵＬキャリブレーション信号ＩＱ（ＩＱ信号）を、光トランシーバ１２１及びＴＲＸ−ＢＢ部１２２を介して、ＣＡＬ−ＴＸ１２７に送信する。ＢＦ−ＢＢ部１１０は、送信するＵＬキャリブレーション信号ＩＱ（ＩＱ信号）の信号レベルを、ＡＮＴ１２５とＲＸ１２３とが接続された状態で送信すると仮定した場合のＵＬキャリブレーション信号ＩＱ（ＩＱ信号）の信号レベルよりも高く設定する。
【００５７】
ＣＡＬ−ＴＸ１２７は、受信したＵＬキャリブレーション信号ＩＱ（ＩＱ信号）をＵＬキャリブレーション信号（ＲＦ信号）に変換して、分配器１２６に出力する。分配器１２６は、入力されたＵＬキャリブレーション信号を分配し、各ＡＭＰ１２４を介して、各ＲＸ１２３に出力する。
【００５８】
各ＲＸ１２３は、受信したＵＬキャリブレーション信号（ＲＦ信号）をＵＬキャリブレーション信号ＩＱ（ＩＱ信号）に変換する。各ＲＸ１２３は、変換したＵＬキャリブレーション信号ＩＱ（ＩＱ信号）を、ＴＲＸ−ＢＢ部１２２及び光トランシーバ１２１を介して、ＢＦ−ＢＢ部１１０に出力する。
【００５９】
ＢＦ−ＢＢ部１１０は、各ＲＸ１２３で受信されたＵＬキャリブレーション信号のＵＬキャリブレーション信号ＩＱと、ＣＡＬ−ＴＸ１２７から送信されたＵＬキャリブレーション信号ＩＱと、の振幅及び位相の差分を測定する。そして、ＢＦ−ＢＢ部１１０は、各ＲＸ１２３に適用するキャリブレーションウェイトを決定し、ＵＬキャリブレーション動作が終了する。
【００６０】
以降、通常のＵＬ動作には、ＢＦ−ＢＢ部１１０は、各ＲＸ１２３から出力されたＵＬ信号ＩＱに対し、その受信機ＲＸについて計算したキャリブレーションウェイトで重み付けすることになる。
【００６１】
以上説明したように、ＢＦ−ＢＢ部１１０は、ＵＬキャリブレーションを実行する場合、各ＲＸ１２３と各ＡＮＴ１２５との接続を解除するように各ＳＷ１２８を切り替える。そして、ＢＦ−ＢＢ部１１０は、ＣＡＬ−ＴＸ１２７から送信したＵＬキャリブレーション信号と、各ＲＸ１２３で受信したＵＬキャリブレーション信号との振幅及び位相の差分に基づいて各ＲＸ１２３に適用するキャリブレーションウェイトを決定する。上記のように、各ＲＸ１２３と各ＡＮＴ１２５との接続が解除されているので、各ＲＸ１２３から受信するＵＬキャリブレーション信号は、他システムからの干渉の影響を受けていない。すなわち、ＢＦ−ＢＢ部１１０は、干渉成分が含まれていないＵＬキャリブレーション信号に基づいて、各ＲＸ１２３に適用するキャリブレーションウェイトを決定している。そのため、実施の形態３にかかる無線通信装置１００によれば、他システムからの干渉によるＵＬキャリブレーション信号の劣化を抑制することが出来る。したがって、実施の形態３にかかる無線通信装置１００によれば、空間多重性能の低下を抑制することが可能となる。
【００６２】
また、ＢＦ−ＢＢ部１１０は、各ＲＸ１２３と各ＡＮＴ１２５との接続が解除された場合、ＵＬキャリブレーション信号の信号レベルを一般的なＵＬキャリブレーション信号よりも高く設定する。すなわち、ＢＦ−ＢＢ部１１０は、一般的なＵＬキャリブレーション信号よりも高いＳＩＮＲを有するＵＬキャリブレーション信号に基づいて、各ＲＸ１２３に適用するキャリブレーションウェイトを決定することが可能となる。したがって、実施の形態３にかかる無線通信装置１００によれば、各ＲＸ１２３に適用するキャリブレーションウェイトを正確に決定することが可能となる。
【００６３】
そして、ＢＦ−ＢＢ部１１０は、各ＲＸ１２３と各ＡＮＴ１２５との接続を解除するように制御していることから、ＡＮＴ１２５からＵＬキャリブレーション信号が漏洩することを抑制することを可能とする。したがって、実施の形態３にかかる無線通信装置１００によれば、送信機ＴＸがＯＦＦ時に遵守すべき規定の電力を遵守しつつ、各ＲＸ１２３に適用するキャリブレーションウェイトを正確に決定することが可能となる。
【００６４】
上記のように、実施の形態３にかかる無線通信装置１００によれば、各ＲＸ１２３に適用するキャリブレーションウェイトを正確に決定することが出来るので、ＵＬキャリブレーション実行後において、全ＲＸ１２３の振幅及び位相が一律で揃った状態になる。そのため、実施の形態３にかかる無線通信装置１００を用いることにより、各端末との間のＵＬチャネル推定もより正確に行うことが可能となる。したがって、実施の形態３によれば、ＵＬチャネル推定に基づく各ＵＥへのビームフォーミングパターン及びＭＵ−ＭＩＭＯ動作時のＮｕｌｌ生成も期待通りとなるので、空間多重性能を改善できる効果も有する。
【００６５】
（変形例）
本実施の形態において、ＢＦ−ＢＢ部１１０が、ＵＬキャリブレーション動作を行うことで説明をしたが、ＴＲＸ−ＢＢ部１２２がＵＬキャリブレーション動作を行ってもよい。すなわち、ＴＲＸ−ＢＢ部１２２が、制御部として動作し、各ＲＸ１２３に適用するキャリブレーションウェイトを決定及び格納、ＵＬキャリブレーション実行時に、ＵＬキャリブレーション信号ＩＱを生成し、各受信機に適用するキャリブレーションウェイトを決定してもよい。この場合、図５に示す無線通信装置１００は、ＢＦ−ＢＢ部１１０を設けない構成であってもよい。
【００６６】
また、無線通信装置１００は、各ＡＮＴ１２５に、ＳＷ及び終端器をさらに備える構成であってもよい。このように構成することで、無線通信装置１００は、ＵＬキャリブレーション実行時に、各ＡＮＴ１２５及び受信期間Ｉｓｏｌａｔｉｏｎを確保することが可能となる。
【００６７】
（実施の形態４）
続いて、実施の形態４について説明する。実施の形態４は、実施の形態２を詳細にした実施の形態である。
【００６８】
＜無線通信装置の構成例＞
まず、図７を用いて、実施の形態４にかかる無線通信装置２００について説明する。図７は、実施の形態４にかかる無線通信装置の構成例を示す図である。実施の形態４にかかる無線通信装置２００は、実施の形態３にかかる無線通信装置１００と比較すると、ＳＷ１２８及び終端器１２９を有しない点が異なるが、その他機能部は共通し、基本的には同様の構成をしている。そのため、実施の形態４にかかる無線通信装置２００の構成のうち、実施の形態３と共通する構成には同一の参照番号を付して説明を適宜割愛する。
【００６９】
図７に示すように、無線通信装置２００は、ビームフォーミングベースバンド（ＢＦ−ＢＢ）部２１０と、ＴＲＸフロントエンド部２２０とを備える。
ＴＲＸフロントエンド部２２０は、光トランシーバ１２１、送受信機ベースバンド（ＴＲＸ−ＢＢ）部２２２、受信機（ＲＸ）２２３−１〜２２３−Ｎ、増幅器（ＡＭＰ）１２４−１〜１２４−Ｎを備える。さらに、ＴＲＸフロントエンド部２２０は、アンテナ（ＡＮＴ）１２５−１〜１２５−Ｎ、分配器１２６及びキャリブレーション用送信機（ＣＡＬ−ＴＸ）１２７を備える。
【００７０】
なお、以降の説明において、ＲＸ２２３−１〜２２３−Ｎ、ＡＭＰ１２４−１〜１２４−Ｎ及びＡＮＴ１２５−１〜１２５−Ｎのそれぞれを区別して説明を行う必要が無い場合、ＲＸ２２３、ＡＭＰ１２４、ＡＮＴ１２５と総称して説明する。なお、無線通信装置２００は、受信側の機能部のみを有する構成として説明を行うが、送信側の機能部を有してもよい。
【００７１】
ＢＦ−ＢＢ部２１０は、実施の形態２における制御部１３に対応する。ＢＦ−ＢＢ部２１０は、ビームフォーミング信号生成機能付きベースバンド部である。ＢＦ−ＢＢ部２１０は、各ＲＸ２２３において受信された各受信信号に基づいて、各ＲＸ２２３に適用するキャリブレーションウェイト、及び各ＡＮＴ１２５と複数のＵＥとの間のＵＬチャネル推定値の少なくとも一方を決定する。キャリブレーションウェイトは、ＵＬキャリブレーション信号に基づいて、ＵＬキャリブレーション動作により決定される。
【００７２】
ＢＦ−ＢＢ部２１０は、無線通信装置２００が起動した場合及び周期的に、各ＲＸ２２３に適用するキャリブレーションウェイト（ＵＬ  ＣＡＬ  Ｗｅｉｇｈｔ）を決定し、記憶する。ＢＦ−ＢＢ部２１０は、ＵＬキャリブレーションを実行する場合、ＵＬキャリブレーション信号ＩＱを、光トランシーバ１２１及びＴＲＸ−ＢＢ部２２２を介して、ＣＡＬ−ＴＸ１２７に送信する。
【００７３】
ＢＦ−ＢＢ部２１０は、各ＲＸ２２３からＵＬキャリブレーション信号ＩＱを受信する。ＢＦ−ＢＢ部２１０は、ＣＡＬ−ＴＸ１２７から送信したＵＬキャリブレーション信号ＩＱと、各ＲＸ２２３で受信したＵＬキャリブレーション信号ＩＱとの振幅及び位相の差分を測定し、各ＲＸ２２３に適用するキャリブレーションウェイトを決定する。ＢＦ−ＢＢ部２１０は、各ＲＸ２２３に適用するキャリブレーションウェイトを決定すると、決定したキャリブレーションウェイトを所定期間記憶する。
【００７４】
また、ＢＦ−ＢＢ部２１０は、ＵＬチャネル推定を実行する場合、図示しない複数のＵＥから送信される参照信号を示すＵＬチャネル推定用信号を、ＡＮＴ１２５、ＡＭＰ１２４、ＲＸ２２３及びＴＲＸ−ＢＢ部２２２を介して受信する。ＢＦ−ＢＢ部２１０は、受信したＵＬチャネル推定用信号に基づいて、各ＲＸ２２３に対応する各ＡＮＴ１２５と、各ＵＥとの間のチャネルに対するチャネル応答の推定値（ＵＬチャネル推定値）を決定する。ＢＦ−ＢＢ部２１０は、ＵＬチャネル推定値を決定すると、決定したＵＬチャネル推定値を所定期間記憶する。
【００７５】
詳細は後述するが、ＴＲＸ−ＢＢ部２２２は、各ＲＸ２２３で受信された複数の受信信号の品質値を取得し、品質値の推移が干渉異常条件を満たすか否かを判定することにより、他システムからの干渉の影響を受けているか否かを判定する。そして、ＴＲＸ−ＢＢ部２２２は、判定結果をＢＦ−ＢＢ部２１０に送信する。複数の受信信号は、ＵＬキャリブレーション信号及びＵＬチャネル推定用信号の少なくとも１つを含む受信信号である。ＢＦ−ＢＢ部２１０は、判定結果に基づいて、受信信号の品質値の推移が干渉異常条件を満たすＲＸ２２３に対して、品質値の推移が干渉異常条件を満たす前に当該ＲＸ２２３で受信された受信信号に基づいて決定されたキャリブレーションウェイト及びＵＬチャネル推定値に更新する。
【００７６】
また、ＴＲＸ−ＢＢ部２２２は、干渉異常条件を満たすＲＸ２２３に対して、当該ＲＸ２２３で受信された受信信号の品質値の推移に基づいて、受信信号の品質値の推移が干渉回復条件を満たすか否かを判定し、判定結果をＢＦ−ＢＢ部２１０に送信する。ＢＦ−ＢＢ部２１０は、干渉異常条件を満たしたＲＸ２２３に対して、当該ＲＸ２２３において受信された受信信号の品質値の推移が干渉回復条件を満たすまでの間、キャリブレーションウェイト及びＵＬチャネル推定値の決定処理を抑止する。なお、ＢＦ−ＢＢ部２１０は、干渉異常条件を満たしたＲＸ２２３に対して、受信信号の品質値の推移が干渉回復条件を満たすまでの間、キャリブレーションウェイト及びＵＬチャネル推定値の決定処理を継続し、決定したキャリブレーションウェイト及びＵＬチャネル推定値を破棄するようにしてもよい。
【００７７】
一方、ＢＦ−ＢＢ部２１０は、受信信号の品質値の推移が干渉異常条件を満たさないＲＸ２２３に対しては、当該ＲＸ２２３に適用するキャリブレーションウェイト及び当該ＲＸ２２３に対応するＡＮＴ１２５と複数のＵＥとの間のＵＬチャネル推定値を更新しない。すなわち、ＢＦ−ＢＢ部２１０は、決定したキャリブレーションウェイト及びＵＬチャネル推定値をそのまま採用する。
【００７８】
また、ＴＲＸ−ＢＢ部２２２は、各ＲＸ２２３から受信された複数の受信信号の品質値の推移に基づいて、品質値の推移がＲＸ異常条件を満たすか否かを判定することにより、各ＲＸ２２３が異常であるか否かを判定する。そして、ＴＲＸ−ＢＢ部２２２は、判定結果をＢＦ−ＢＢ部２１０に送信する。ＢＦ−ＢＢ部２１０は、受信した判定結果に基づいて、受信信号の品質値の推移がＲＸ異常条件を満たすＲＸ２２３に対して、キャリブレーションウェイト及びＵＬチャネル推定値の決定処理を抑止する。
【００７９】
ＴＲＸ−ＢＢ部２２２は、実施の形態２における判定部１２に対応する。ＴＲＸ−ＢＢ部２２２は、送受信機ベースバンド部であって、主信号受信デジタルベースバンド部である。ＴＲＸ−ＢＢ部２２２は、ＢＦ−ＢＢ部２１０から受信したＵＬキャリブレーション信号ＩＱ（ＩＱ信号）をＣＡＬ−ＴＸ１２７に出力する。また、ＴＲＸ−ＢＢ部２２２は、各ＲＸ２２３からＵＬキャリブレーション信号ＩＱ（ＩＱ信号）及びＵＬチャネル推定用信号を受信する。ＴＲＸ−ＢＢ部２２２は、光トランシーバ１２１を介して、ＢＦ−ＢＢ部１１０に受信したＵＬキャリブレーション信号ＩＱ（ＩＱ信号）及びＵＬチャネル推定用信号ＩＱ（ＩＱ信号）を送信する。
【００８０】
また、ＴＲＸ−ＢＢ部２２２は、各ＲＸ２２３から受信した複数の受信信号の品質値を取得すると共に、品質値の推移が干渉異常条件を満たすか否かを判定する。複数の受信信号は、ＵＬキャリブレーション信号及びＵＬチャネル推定用信号の少なくとも１つを含む。また、品質値は、例えば、ＳＩＮＲであってもよい。以降の説明において、品質値はＳＩＮＲであると説明する。
【００８１】
さらに、ＴＲＸ−ＢＢ部２２２は、品質値の推移が干渉異常条件を満たすと判定された受信信号を受信したＲＸ２２３に対して、品質値の推移が干渉回復条件を満たすか否かを判定する。
【００８２】
またさらに、各ＲＸ２２３に対して、各ＲＸ２２３から受信した受信信号のＳＩＮＲの推移がＲＸ異常条件を満たすか否かを判定する。
なお、ＴＲＸ−ＢＢ部２２２が行う判定処理の詳細については後述する。
【００８３】
ＲＸ２２３は、実施の形態２における受信機１１−１〜１１−Ｎに対応する。ＲＸ２２３は、各ＡＮＴ１２５に対応して設けられた受信機である。ＲＸ２２３は、ＣＡＬ−ＴＸ１２７からＵＬキャリブレーション信号（ＲＦ信号）を受信する。ＲＸ２２３は、受信したＵＬキャリブレーション信号（ＲＦ信号）をＵＬキャリブレーション信号ＩＱ（ＩＱ信号）に変換する。そして、ＲＸ２２３は、変換したＵＬキャリブレーション信号ＩＱをＴＲＸ−ＢＢ部２２２に出力する。
【００８４】
また、ＲＸ２２３は、ＡＮＴ１２５からＵＬチャネル推定用信号（ＲＦ信号）を受信する。ＲＸ２２３は、受信したＵＬチャネル推定用信号（ＲＦ信号）をＵＬチャネル推定用信号ＩＱ（ＩＱ信号）に変換する。そして、ＲＸ２２３は、変換したＵＬチャネル推定用信号ＩＱをＴＲＸ−ＢＢ部２２２に出力する。
【００８５】
ＡＭＰ１２４、ＡＮＴ１２５、分配器１２６及びＣＡＬ−ＴＸ１２７は、実施の形態３と同様であるため、説明を割愛する。
【００８６】
＜ＴＲＸ−ＢＢ部の判定処理＞
次に、図８を用いて、ＴＲＸ−ＢＢ部２２２が行う判定処理について説明する。図８は、ＴＲＸ−ＢＢ部が行う判定処理について説明する図である。図８の横軸は、時間軸である。図８には、ＴＲＸ−ＢＢ部２２２が各ＲＸ２２３から受信する受信信号の受信状況、時刻ｔ１及び時刻ｔ２において、ＴＲＸ−ＢＢ部２２２が実施する処理を説明するための内容が図示されている。図８の時間軸と併せて記載された各ブロックは、ＵＬキャリブレーション信号及びＵＬチャネル推定用信号を含む受信信号を信号サンプルとする各受信信号を示している。図８に示した全てのブロックがＵＬチャネル推定用信号を示してもよいし、一部のブロックがＵＬキャリブレーション信号でその他がＵＬチャネル推定用信号を示してもよいし、全てのブロックがＵＬキャリブレーション信号を示してもよい。
【００８７】
ＴＲＸ−ＢＢ部２２２は、ＵＬキャリブレーション信号区間及びＵＬチャネル推定受信区間において、受信信号の積分及び平均化サンプル数を変えた上で、同サンプル間の平均値を移動更新する。具体的には、ＴＲＸ−ＢＢ部２２２は、ＵＬキャリブレーション実行時及びＵＬチャネル推定実行時、所定の時間区間毎に各ＲＸ２２３で受信された受信信号のＳＩＮＲの平均値を算出する。さらに、ＴＲＸ−ＢＢ部２２２は、各時間区間において移動平均値を算出する。
【００８８】
図８を用いて具体例を説明する。ＴＲＸ−ＢＢ部２２２は、時刻ｔ１において、時刻ｔ１における受信信号を信号サンプルとして、ベースバンドレベルを積算して平均し、受信信号のＳＩＮＲの平均値＃１を算出する。そして、ＴＲＸ−ＢＢ部２２２は、時刻ｔ０における上記受信信号のＳＩＮＲの平均値＃０と平均値＃１とを用いて移動平均値＃１を算出する。
【００８９】
次に、ＴＲＸ−ＢＢ部２２２は、時刻ｔ２において、時刻ｔ２における受信信号を信号サンプルとして、ベースバンドレベルを積算して平均し、受信信号のＳＩＮＲの平均値＃２を算出する。そして、ＴＲＸ−ＢＢ部２２２は、平均値＃１と平均値＃２とを用いて移動平均値＃２を算出する。ＴＲＸ−ＢＢ部２２２は、時刻ｔ３以降についても同様に、平均値及び移動平均値を算出する。
【００９０】
なお、上記では、移動平均値を算出する際、２つの時間区間における平均値を用いて算出することとして説明を行ったが、当然ながら、移動平均値の算出元の時間区間の数は２つに限られず、適宜変更が可能な数であってもよい。また、所定の時間区間において平均値を算出する信号サンプル数は適宜変更可能としてもよい。
【００９１】
ＴＲＸ−ＢＢ部２２２は、上記の様にして各時間区間における移動平均値を算出すると、算出した移動平均値と、判定閾値とを用いて各判定処理を行う。上述したように、ＴＲＸ−ＢＢ部２２２は、ＳＩＮＲの推移が干渉異常条件を満たすか否かの判定処理（干渉異常条件判定）、干渉異常が回復したかの判定処理（干渉回復条件判定）、及びＲＸ２２３が異常であるかの判定処理（ＲＸ異常条件判定）を実施する。以下に、それぞれの判定処理について説明する。
【００９２】
まず、干渉異常条件判定について説明する。
ＴＲＸ−ＢＢ部２２２は、算出した移動平均値が連続する所定数の時間区間において干渉閾値以上増加し続ける場合、受信信号のＳＩＮＲの推移が干渉異常条件を満たすと判定する。すなわち、ＴＲＸ−ＢＢ部２２２は、受信信号のＳＩＮＲの推移が干渉異常条件を満たす受信信号を受信したＲＸ２２３の受信信号が他システムからの干渉の影響を受けていると判定する。
【００９３】
具体的には、ＴＲＸ−ＢＢ部２２２は、移動平均値＃ｎから移動平均値＃ｎ−１を減算した差分値が干渉閾値以上となる場合が所定回数連続する場合、他システムから受信信号とは相関性の低い外来受信干渉が発生していると判定する。つまり、ＴＲＸ−ＢＢ部２２２は、判定対象の時間区間から所定回数分前の時間区間以降に受信された受信信号が他システムからの干渉の影響を受けていると判定する。
【００９４】
他システムからの外来受診干渉が発生する場合、干渉波はバースト状に発生することから、移動平均値は階段状に高くなることが想定される。そのため、ＴＲＸ−ＢＢ部２２２は、算出した移動平均値が干渉閾値以上増加する状態が所定回数連続するか否かにより干渉異常条件判定を行う。なお、上記所定回数は、１回以上の任意の回数が設定される。
【００９５】
ＴＲＸ−ＢＢ部２２２は、受信信号のＳＩＮＲの推移が干渉異常条件を満たすと判定したＲＸ２２３に対して、受信信号のＳＩＮＲの推移が干渉回復条件を満たすと判定するまでの間、受信信号が他システムからの干渉の影響を受けていると判定する。
【００９６】
この場合、ＢＦ−ＢＢ部２１０は、上記ＲＸ２２３に対して、所定回数分前の時間区間以降に受信された受信信号が他システムからの干渉による影響を受けていると考えられるので、所定回数分の時間区間に決定されたキャリブレーションウェイト及びＵＬチャネル推定値を破棄する。そして、ＢＦ−ＢＢ部２１０は、上記ＲＸ２２３に対して移動平均値が干渉閾値以上増加し続ける時間区間の直前の時間区間において決定されたキャリブレーションウェイト及びＵＬチャネル推定値に更新する。具体的には、ＢＦ−ＢＢ部２１０は、判定対象の時間区間から所定回数分前の時間区間の直前の時間区間において決定されたキャリブレーションウェイト及びＵＬチャネル推定値に更新する。
【００９７】
また、ＢＦ−ＢＢ部２１０は、上記ＲＸ２２３に対して、受信信号のＳＩＮＲの推移が干渉回復条件を満たすと判定するまでの間、キャリブレーションウェイト及びＵＬチャネル推定値の決定処理を抑止する。つまり、ＢＦ−ＢＢ部２１０は、上記ＲＸ２２３に対して、ＵＬキャリブレーション動作及びＵＬチャネル推定動作を実行しない。なお、ＢＦ−ＢＢ部２１０は、上記ＲＸ２２３に対して、受信信号のＳＩＮＲの推移が干渉回復条件を満たすと判定するまでの間、キャリブレーションウェイト及びＵＬチャネル推定値の決定処理を継続し、決定したキャリブレーションウェイト及びＵＬチャネル推定値を破棄するようにしてもよい。
【００９８】
次に、干渉回復条件判定について説明する。
ＴＲＸ−ＢＢ部２２２は、受信信号のＳＩＮＲの推移が干渉異常条件を満たすと判定したＲＸ２２３に対して、受信信号のＳＩＮＲの推移が干渉回復条件を満たすか否かを判定する。具体的には、ＴＲＸ−ＢＢ部２２２は、干渉異常条件を満たすと判定された後の移動平均値と、干渉異常条件を満たすと判定される前の移動平均値とが干渉閾値未満である場合、受信信号のＳＩＮＲの推移が干渉回復条件を満たすと判定する。換言すると、ＴＲＸ−ＢＢ部２２２は、受信信号が他システムからの干渉の影響を受けていると判定された後に、移動平均値が干渉の影響を受けたと判定される前の移動平均値に戻った場合は、受信信号が干渉の影響が無くなったと判定する。
【００９９】
ＴＲＸ−ＢＢ部２２２が、受信信号のＳＩＮＲの推移が干渉異常回復条件を満たすと判定された場合、ＢＦ−ＢＢ部２１０は、キャリブレーションウェイト及びＵＬチャネル推定値の決定処理を開始する。なお、ＢＦ−ＢＢ部２１０が干渉異常条件を満たす時間区間において、キャリブレーションウェイト及びＵＬチャネル推定値の決定処理を継続していた場合、決定したキャリブレーションウェイト及びＵＬチャネル推定値を破棄せず使用する。
【０１００】
次に、ＲＸ異常条件判定について説明する。
ＴＲＸ−ＢＢ部２２２は、移動平均値が連続する所定数の時間区間においてＲＸ利得低下閾値＃１以上減少し続ける場合であって、移動平均値の絶対値がＲＸ利得低下閾値＃２以下となる場合、受信信号のＳＩＮＲの推移がＲＸ異常条件を満たすと判定する。
【０１０１】
具体的には、ＴＲＸ−ＢＢ部２２２は、移動平均値＃ｎから移動平均値＃ｎ−１の差分値を算出する。ＴＲＸ−ＢＢ部２２２は、算出した差分値がＲＸ利得低下閾値＃１以上で減少し、かつ移動平均値＃ｎの絶対値がＲＸ利得低下閾値＃２以下となった場合が所定回数連続する場合、受信信号のＳＩＮＲの推移がＲＸ異常条件を満たすと判定する。そして、ＴＲＸ−ＢＢ部２２２は、ＲＸ異常条件を満たすと判定された受信信号を受信したＲＸ２２３をＲＸ利得低下異常であると判定する。
【０１０２】
この場合、ＢＦ−ＢＢ部２１０は、ＲＸ利得低下異常と判定されたＲＸ２２３に対して、キャリブレーションウェイト及びＵＬチャネル推定値の決定処理を抑止する。つまり、ＢＦ−ＢＢ部２１０は、異常と判定されたＲＸ２２３に対して、ＵＬキャリブレーション動作及びＵＬチャネル推定動作を実行しない。
【０１０３】
なお、干渉閾値、ＲＸ利得低下閾値＃１及びＲＸ利得低下閾値＃２並びに上記所定回数は、干渉波の瞬時変動に対する応答性能が変化することから、ＡＡＳ設置環境下での干渉信号の性質及び条件に応じて調整可能なものであってもよい。
【０１０４】
＜無線通信装置の動作例＞
次に、図９を用いて、実施の形態４にかかる無線通信装置２００の動作例を説明する。図９は、実施の形態４にかかる無線通信装置の動作例を説明する図である。図９は、ＵＬキャリブレーション信号区間及びＵＬチャネル推定受信区間において、所定時間区間毎に繰り返し実行され、各ＲＸ２２３に対して実行される動作である。換言すると、無線通信装置２００は、各ＲＸ２２３に対して、図９に示す動作を実行する。説明を行う上で便宜的に、ＲＸ２２３−１を用いて説明する。
【０１０５】
まず、ＢＦ−ＢＢ部２１０は、各ＵＬキャリブレーション信号及び各ＵＬチャネル推定用信号に基づいて、ＲＸ２２３−１に適用するキャリブレーションウェイト、及びＲＸ２２３−１に対応するＡＮＴ１２５−１と各ＵＥとの間のＵＬチャネル推定値を決定する（ステップＳ１）。なお、ステップＳ１は、ＵＬキャリブレーション動作及びＵＬチャネル推定動作を実行する毎に繰り返し実施される。
【０１０６】
次に、ＴＲＸ−ＢＢ部２２２は、受信信号のＳＩＮＲの平均値及び移動平均値を算出する（ステップＳ２）。
【０１０７】
次に、ＴＲＸ−ＢＢ部２２２は、ステップＳ２において算出した移動平均値と、ＲＸ利得低下閾値＃１及びＲＸ利得低下閾値＃２に基づいて、ＲＸ２２３−１がＲＸ利得低下異常であるか否かを判定する（ステップＳ３）。具体的には、ＴＲＸ−ＢＢ部２２２は、移動平均値＃ｎから移動平均値＃ｎ−１の差分値がＲＸ利得低下閾値＃１以上で減少し、かつ移動平均値＃ｎの絶対値がＲＸ利得低下閾値＃２以下となった場合が所定回数連続するか否かを判定する。
【０１０８】
ＴＲＸ−ＢＢ部２２２が、ＲＸ２２３−１がＲＸ利得低下異常であると判定した場合（ステップＳ３のＹＥＳ）、ＢＦ−ＢＢ部２１０は、ＲＸ−２２３−１に対して、ＵＬキャリブレーション動作及びＵＬチャネル推定動作を抑止する。（ステップＳ４）。つまり、ＢＦ−ＢＢ部２１０は、ＲＸ２２３−１に適用するキャリブレーションウェイト及びＡＮＴ１２５−１と各ＵＥとの間のＵＬチャネル推定値の決定処理を抑止する。
【０１０９】
一方、ＴＲＸ−ＢＢ部２２２が、ＲＸ２２３−１がＲＸ利得低下異常ではないと判定する場合（ステップＳ３のＮＯ）、ＴＲＸ−ＢＢ部２２２は、ＲＸ２２３−１が受信した受信信号のＳＩＮＲの推移が干渉異常条件を満たすか否かを判定する（ステップＳ５）。具体的には、ＴＲＸ−ＢＢ部２２２は、所定回数連続して、移動平均値＃ｎから移動平均値＃ｎ−１を減算した差分値が干渉閾値以上となっているか否かを判定する。
【０１１０】
ＴＲＸ−ＢＢ部２２２が、ＲＸ２２３−１が受信した受信信号のＳＩＮＲの推移が干渉異常条件を満たすと判定する場合（ステップＳ５のＹＥＳ）、ＢＦ−ＢＢ部２１０は、決定したキャリブレーションウェイト及びＵＬチャネル推定値を更新する（ステップＳ６）。具体的には、ＢＦ−ＢＢ部２１０は、受信信号のＳＩＮＲの推移が干渉異常条件を満たす前にＲＸ２２３−１で受信された受信信号に基づいて決定されたキャリブレーションウェイト及びＵＬチャネル推定値に更新する。
【０１１１】
次に、ＢＦ−ＢＢ部２１０は、ＲＸ−２２３−１に対して、ＵＬキャリブレーション動作及びＵＬチャネル推定動作を抑止する（ステップＳ７）。つまり、ＢＦ−ＢＢ部２１０は、ＲＸ２２３−１に適用するキャリブレーションウェイト及びＡＮＴ１２５−１と各ＵＥとの間のＵＬチャネル推定値の決定処理を抑止する。
【０１１２】
なお、ＴＲＸ−ＢＢ部２２２は、ＲＸ２２３−１が受信した受信信号のＳＩＮＲの推移が干渉異常条件を満たすと判定する場合、受信信号のＳＩＮＲの推移が干渉回復条件を満たすまで受信信号が他システムからの干渉の影響を受けていると判定する。つまり、ＴＲＸ−ＢＢ部２２２は、ＲＸ２２３−１が受信した受信信号のＳＩＮＲの推移が干渉異常条件を満たすと判定する場合、受信信号のＳＩＮＲの推移が干渉回復条件を満たすまでの間、ステップＳ５のＹＥＳのルートに進む。ただし、この場合、ＲＸ２２３−１に対するキャリブレーションウェイト及びＵＬチャネル推定値は、他システムからの干渉を受けていないと推定される受信信号に基づいて決定されたキャリブレーションウェイト及びＵＬチャネル推定値となっている。そのため、ステップＳ６及びステップＳ７の処理は実行されない。
【０１１３】
一方、ＴＲＸ−ＢＢ部２２２が、ＲＸ２２３−１が受信した受信信号のＳＩＮＲの推移が干渉異常条件を満たさないと判定する場合（ステップＳ５のＮＯ）、処理を終了する。
【０１１４】
次に、ＴＲＸ−ＢＢ部２２２は、ＲＸ２２３−１が受信した受信信号のＳＩＮＲの推移が干渉回復条件を満たすか否かを判定する（ステップＳ８）。具体的には、ＴＲＸ−ＢＢ部２２２は、干渉異常条件を満たすと判定された後の移動平均値と、干渉異常条件を満たすと判定される前の移動平均値とが干渉閾値未満であるか否かを判定する。
【０１１５】
ＴＲＸ−ＢＢ部２２２が、受信信号のＳＩＮＲの推移が干渉回復条件を満たすと判定する場合（ステップＳ８のＹＥＳ）、ＢＦ−ＢＢ部２１０は、ＲＸ−２２３−１に対して、ＵＬキャリブレーション動作及びＵＬチャネル推定動作を抑止解除する（ステップＳ９）。具体的には、ＴＲＸ−ＢＢ部２２２は、干渉異常条件を満たすと判定された後の移動平均値と、干渉異常条件を満たすと判定される前の移動平均値とが干渉閾値未満であると判定する場合、受信信号のＳＩＮＲの推移が干渉回復条件を満たすと判定する。そして、ＢＦ−ＢＢ部２１０は、ＲＸ−２２３−１に対して、キャリブレーションウェイト及びＵＬチャネル推定値の決定処理を開始する。
【０１１６】
ＴＲＸ−ＢＢ部２２２が、ＲＸ２２３−１が受信した受信信号のＳＩＮＲの推移が干渉回復条件を満たさないと判定する場合（ステップＳ８のＮＯ）、処理を終了する。
【０１１７】
以上説明した様に、ＴＲＸ−ＢＢ部２２２は、ＵＬキャリブレーション信号区間及びＵＬチャネル推定受信区間において、各ＲＸ２２３で受信された受信信号を所定時間区間毎に移動平均値を算出する。ＴＲＸ−ＢＢ部２２２は、算出された移動平均値に基づいて、受信信号の品質値の推移が干渉異常条件を満たすか否かを判定する。すなわち、ＴＲＸ−ＢＢ部２２２は、各ＲＸ２２３で受信された受信信号が干渉の影響を受けているか否かを判定する。ＢＦ−ＢＢ部２１０は、受信信号が干渉の影響を受けていると判定する場合、該当のＲＸ２２３に適用するキャリブレーションウェイト及びＵＬチャネル推定値を、干渉の影響を受けていないと推定された受信信号に基づいて決定されたキャリブレーションウェイト及びＵＬチャネル推定値に更新する。すなわち、ＵＬキャリブレーション信号及びＵＬチャネル推定用信号に外来干渉受信発生を検出した場合は、ＢＦ−ＢＢ部２１０は、同発生区間周辺の時間域のＵＬキャリブレーション結果及びＵＬチャネル推定結果を採用しない。そして、ＢＦ−ＢＢ部２１０は、干渉が発生する前のＵＬキャリブレーション測定結果及びＵＬチャネル推定結果を採用し続ける。ＴＲＸ−ＢＢ部２２２は、受信信号のＳＩＮＲの移動平均値が干渉前の移動平均値に戻った場合は、再度ＵＬキャリブレーション更新動作を復活させる制御を行う事により、外来干渉受信によるＭＵ−ＭＩＭＯ性能劣化を事前に検出回避することが出来る。したがって、実施の形態４にかかる無線通信装置２００によれば、外来環境からの干渉波が混信しないと判定される信号に基づいて実行されたＵＬキャリブレーション結果及びＵＬチャネル推定結果を採用するので、空間多重性能劣化を抑制することが可能となる。
【０１１８】
また、ＴＲＸ−ＢＢ部２２２は、受信信号のＳＩＮＲの移動平均値を用いて、いずれかのＲＸ２２３が異常であるか否かを判定する。ＢＦ−ＢＢ部２１０は、異常と判定されたＲＸ２２３に対して、ＵＬキャリブレーション動作及びＵＬチャネル推定動作を実行しない。そのため、実施の形態４にかかる無線通信装置２００によれば、異常状態であるＲＸ２２３のＵＬキャリブレーション実行結果及びＵＬチャネル推定実行結果を用いないことから、安定したＡＡＳ性能を維持確保することが可能となる。
【０１１９】
（他の実施の形態）
上述した実施の形態にかかる無線通信装置１、１０、１００及び２００（以下、無線通信装置１等と称する）は次のようなハードウェア構成を有していてもよい。図１０は、各実施の形態にかかる無線装置を実現可能なコンピュータ（情報処理装置）のハードウェア構成を例示するブロック図である。
【０１２０】
図１０を参照すると、無線通信装置１等は、複数のアンテナ１２０１−１〜１２０１−Ｎ、ネットワーク・インターフェース１２０２、プロセッサ１２０３及びメモリ１２０４を含む。複数のアンテナ１２０１−１〜１２０１−Ｎ及びネットワーク・インターフェース１２０２は、複数の端末を含む他の無線通信装置と通信するために使用される。ネットワーク・インターフェース１２０２は、例えば、IEEE 802.11 series、IEEE 802.3 series等に準拠したネットワークインターフェースカード（NIC）を含んでもよい。
【０１２１】
プロセッサ１２０３は、メモリ１２０４からソフトウェア（コンピュータプログラム）を読み出して実行することで、上述の実施形態においてフローチャートを用いて説明された無線通信装置１等の処理を行う。プロセッサ１２０３は、例えば、マイクロプロセッサ、MPU（Micro Processing Unit）、又はCPU（Central Processing Unit）であってもよい。プロセッサ１２０３は、複数のプロセッサを含んでもよい。
【０１２２】
メモリ１２０４は、揮発性メモリ及び不揮発性メモリの組み合わせによって構成される。メモリ１２０４は、プロセッサ１２０３から離れて配置されたストレージを含んでもよい。この場合、プロセッサ１２０３は、図示されていないI/Oインタフェースを介してメモリ１２０４にアクセスしてもよい。
【０１２３】
図１０の例では、メモリ１２０４は、ソフトウェアモジュール群を格納するために使用される。プロセッサ１２０３は、これらのソフトウェアモジュール群をメモリ１２０４から読み出して実行することで、上述の実施形態において説明された無線通信装置１等の処理を行うことができる。
【０１２４】
図１０を用いて説明したように、無線通信装置１等が有するプロセッサの各々は、図面を用いて説明されたアルゴリズムをコンピュータに行わせるための命令群を含む１または複数のプログラムを実行する。
【０１２５】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、非一時的なコンピュータ可読媒体の例は、ＣＤ−ＲＯＭ（Read Only Memory）、ＣＤ−Ｒ、ＣＤ−Ｒ／Ｗを含む。さらに、非一時的なコンピュータ可読媒体の例は、半導体メモリを含む。半導体メモリは、例えば、マスクＲＯＭ、ＰＲＯＭ（Programmable ROM）、ＥＰＲＯＭ（Erasable PROM）、フラッシュＲＯＭ、ＲＡＭ（Random Access Memory）を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２６】
なお、本開示は上記実施の形態に限られたものではなく、趣旨を逸脱しない範囲で適宜変更することが可能である。また、本開示は、それぞれの実施の形態を適宜組み合わせて実施されてもよい。
【０１２７】
また、上記の実施形態の一部又は全部は、以下の付記のようにも記載されうるが、以下には限られない。
（付記１）
複数のアンテナの各々に対応して設けられた複数の受信機と、
キャリブレーション用送信機と、
ＵＬ（Uplink）キャリブレーションを実行する場合、各アンテナと各受信機との接続を解除し、前記キャリブレーション用送信機から送信したＵＬキャリブレーション信号と、各受信機で受信したＵＬキャリブレーション信号と、に基づいて各受信機に適用するキャリブレーションウェイトを決定する制御部と、を備える無線通信装置。
（付記２）
前記複数の受信機の各々に対応して設けられた複数の終端器と、
各受信機と各アンテナとの間、又は各受信機と各終端器との間を接続する複数のスイッチと、をさらに備え、
前記制御部は、各受信機と各終端器との間を接続するように前記複数のスイッチの各々を切り替えて、各アンテナと各受信機との接続を解除する、付記１に記載の無線通信装置。
（付記３）
前記制御部は、各アンテナと各受信機との接続が解除された場合、前記ＵＬキャリブレーション信号の信号レベルを、各アンテナと各受信機とが接続された状態で前記ＵＬキャリブレーション信号を送信すると仮定した場合の前記信号レベルよりも高くなるように制御する、付記１又は２に記載の無線通信装置。
（付記４）
複数の受信機と、
前記複数の受信機の各々で受信された複数の受信信号の品質値を取得すると共に、前記品質値の推移が第１の条件を満たすか否かを判定する判定部と、
前記複数の受信機の各々で受信された各受信信号に基づいて各受信機に適用するキャリブレーションウェイト、及び各受信機に対応するアンテナと複数のユーザ装置との間のＵＬチャネル推定値の少なくとも一方を決定する制御部と、を備え、
前記制御部は、前記品質値の推移が前記第１の条件を満たす受信機に対して、前記品質値の推移が前記第１の条件を満たす前に前記受信機で受信された受信信号に基づいて決定された前記キャリブレーションウェイト及び前記ＵＬチャネル推定値に更新する、無線通信装置。
（付記５）
前記判定部は、所定時間区間毎に、前記品質値の移動平均値を算出し、算出された前記移動平均値に基づいて、前記品質値の推移が前記第１の条件を満たすか否かを判定する、付記４に記載の無線通信装置。
（付記６）
前記判定部は、前記移動平均値が連続する所定数の時間区間において第１の閾値以上増加し続ける場合、前記品質値の推移が前記第１の条件を満たすと判定し、
前記制御部は、前記品質値の推移が前記第１の条件を満たす受信機に対して、前記移動平均値が前記第１の閾値以上増加し続ける時間区間の直前の時間区間において決定された前記キャリブレーションウェイト及び前記ＵＬチャネル推定値に更新する、付記５に記載の無線通信装置。
（付記７）
前記判定部は、前記品質値の推移が前記第１の条件を満たす受信機に対して、当該受信機で受信された受信信号の前記品質値の推移が第２の条件を満たすか否かを判定し、
前記制御部は、前記品質値の推移が前記第２の条件を満たすまでの間、前記受信機に対して、前記キャリブレーションウェイト及び前記ＵＬチャネル推定値の決定処理を抑止する、付記４〜６のいずれか１項に記載の無線通信装置。
（付記８）
前記判定部は、所定時間区間毎に、前記品質値の移動平均値を算出し、前記品質値の推移が前記第１の条件を満たすと判定された後の移動平均値と、前記品質値の推移が前記第１の条件を満たすと判定される前の時間区間における移動平均値との差分が第１の閾値未満である場合、前記品質値の推移が前記第２の条件を満たすと判定する、付記７に記載の無線通信装置。
（付記９）
前記判定部は、前記品質値の推移が第３の条件を満たすか否かを判定し、
前記制御部は、前記品質値の推移が前記第３の条件を満たす受信機に対して、前記キャリブレーションウェイト及び前記ＵＬチャネル推定値の決定処理を抑止する、付記４〜８のいずれか１項に記載の無線通信装置。
（付記１０）
前記判定部は、所定時間区間毎に、前記品質値の移動平均値を算出し、前記移動平均値が連続する所定数の時間区間において第３の閾値以上減少し続ける場合であって、前記移動平均値の絶対値が第４の閾値以下となる場合、前記品質値の推移が第３の条件を満たすと判定する、付記９に記載の無線通信装置。
（付記１１）
前記複数の受信信号は、ＵＬキャリブレーション信号及びＵＬチャネル推定用信号の少なくとも１つを含み、
前記制御部は、前記ＵＬキャリブレーション信号に基づいて前記キャリブレーションウェイトを決定し、前記ＵＬチャネル推定用信号に基づいて前記ＵＬチャネル推定値を決定する、付記４〜１０のいずれか１項に記載の無線通信装置。
（付記１２）
前記無線通信装置は、ＴＤＤ（Time Division Duplex）モードで動作し、
前記キャリブレーションウェイトは、スペシャルサブフレームのガードピリオドにおいて送受信されるＵＬキャリブレーション信号に基づいて決定される、付記１〜１１のいずれか１項に記載の無線通信装置。
（付記１３）
前記ＵＬキャリブレーション信号は、ＤＬ（Downlink）キャリブレーション実行期間の後のＵＬキャリブレーション実行期間に送受信される、付記１２に記載の無線通信装置。
（付記１４）
ＵＬキャリブレーションを実行する場合、複数のアンテナの各々と、各アンテナに対応して設けられた複数の受信機の各々との接続を解除することと、
キャリブレーション用送信機から送信したＵＬキャリブレーション信号と、各受信機で受信したＵＬキャリブレーション信号と、に基づいて各受信機に適用するキャリブレーションウェイトを決定することと、を含む無線通信方法。
（付記１５）
複数の受信機の各々で受信された複数の受信信号の品質値を取得すると共に、前記品質値の推移が第１の条件を満たすか否かを判定することと、
前記複数の受信機の各々で受信された各受信信号に基づいて各受信機に適用するキャリブレーションウェイト、及び各受信機に対応するアンテナと複数のユーザ装置との間のＵＬチャネル推定値の少なくとも一方を決定することと、
前記品質値の推移が前記第１の条件を満たす受信機に対して、前記品質値の推移が前記第１の条件を満たす前に前記受信機で受信された受信信号に基づいて決定された前記キャリブレーションウェイト及び前記ＵＬチャネル推定値に更新することと、を含む無線通信方法。
（付記１６）
ＵＬキャリブレーションを実行する場合、複数のアンテナの各々と、各アンテナに対応して設けられた複数の受信機の各々との接続を解除することと、
キャリブレーション用送信機から送信したＵＬキャリブレーション信号と、各受信機で受信したＵＬキャリブレーション信号と、に基づいて各受信機に適用するキャリブレーションウェイトを決定することと、を無線通信装置に実行させる無線通信プログラム。
（付記１７）
複数の受信機の各々で受信された複数の受信信号の品質値を取得すると共に、前記品質値の推移が第１の条件を満たすか否かを判定することと、
前記複数の受信機の各々で受信された各受信信号に基づいて各受信機に適用するキャリブレーションウェイト、及び各受信機に対応するアンテナと複数のユーザ装置との間のＵＬチャネル推定値の少なくとも一方を決定することと、
前記品質値の推移が前記第１の条件を満たす受信機に対して、前記品質値の推移が前記第１の条件を満たす前に前記受信機で受信された受信信号に基づいて決定された前記キャリブレーションウェイト及び前記ＵＬチャネル推定値に更新することと、を無線通信装置に実行させる無線通信プログラム。
【符号の説明】
【０１２８】
１、１０、１００、２００  無線通信装置
２−１〜２−Ｎ、１１−１〜１１−Ｎ  受信機
３  キャリブレーション用送信機
４、１３  制御部
１２  判定部
１１０、２１０  ＢＦ−ＢＢ部
１２０、２２０  ＴＲＸフロントエンド部
１２１  光トランシーバ
１２２、２２２  ＴＲＸ−ＢＢ部
１２３−１〜１２３−Ｎ、２２３−１〜２２３−Ｎ  ＲＸ
１２４−１〜１２４−Ｎ  ＡＭＰ
１２５−１〜１２５−Ｎ  ＡＮＴ
１２６  分配器
１２７  ＣＡＬ−ＴＸ
１２８−１〜１２８−Ｎ  ＳＷ
１２９−１〜１２９−Ｎ  終端器
【図１】
2019216366.tif 000003
【図２】
2019216366.tif 000004
【図３】
2019216366.tif 000005
【図４】
2019216366.tif 000006
【図５】
2019216366.tif 000007
【図６】
2019216366.tif 000008
【図７】
2019216366.tif 000009
【図８】
2019216366.tif 000010
【図９】
2019216366.tif 000011
【図１０】
2019216366.tif 000012